(57)【要約】【課題】人体頭部装着用ヘッドライトなどの電池使用器具において、暗闇で電池交換が必要な場合でも、間違いなく正しい位置に電池蓋を装着することができるものとする。【解決手段】電池ケース１に対しバヨネット構造により着脱可能とした電池蓋２に所定角だけ回動可とした蓋止め３を取り付け、これに端部をヘッドライト本体１０等に固定した紐状部３１を延設した電池蓋の着脱構造において、電池蓋２を電池ケース１に装着の際、装着角度を１８０度逆向きには取り付けられない。また、電池蓋２と蓋止め３と間の相互回動角度は、電池ケース１と電池蓋２との間のバヨネット構造の回動角度よりも大きくして自由度を持たせる。【選択図】  図１
2005019002.tif 000002
【特許請求の範囲】
【請求項１】
円筒状の電池ケースと、
前記電池ケースの一端に設けた電池装填及び取り出し用の開口付近に形成したバヨネット構造により着脱可能とした電池蓋と、
前記電池蓋の落下防止を目的とした、前記電池蓋の主表面に取り付け、前記主表面との間で相互に回動可能構造とするとともに紐状部を延設し、該紐状部の端部を前記電池ケースあるいは器具本体に固定した扁平なキャップ状の蓋止めとよりなる電池蓋の着脱構造において、
前記電池蓋と前記蓋止めと間の相互回動可能な角度を規制することによって、前記電池蓋を前記電池ケースに装着の際、装着角度を１８０度逆の位置に取り付けることがないようにしたことを特徴とする電池蓋着脱構造。
【請求項２】
電池蓋と蓋止めと間の相互回動可能角度は、電池ケースと電池蓋との間のバヨネット構造の回動角度よりも大きいことを特徴とする請求項１に記載の電池蓋着脱構造。
【発明の詳細な説明】
【０００１】
【発明の属する技術分野】
本発明は、電池使用の電気器具に関し、とくにその器具の電池蓋の着脱構造に関する。
【０００２】
【従来の技術】
乾電池などの電池を電源とする器具は多くの種類があり、多種が実用化されているが、例えば、人体の頭部にベルトなどを用いて装着し、前方を照射するヘッドライトがある。そしてその電源として乾電池等の電池をライト部分と一体に近い形態の電池ケースに収容したもの（例えば特許文献１参照。）は、全体をコンパクトなものとすることができ、用途が広い。
【０００３】
このようなヘッドライトは電池が小型であるため、長時間にわたる使用時には使用中に電池が消耗しこれを交換する必要を生じることが多い。電池は円筒状の電池ケースに収容され、その一方端部に、いわゆるバヨネット機構によって取り付けた電池蓋を回動させて開き、電池の取り外しを行ない、新しい電池を装填して再び電池蓋を取り付け回動させて閉じるようになっている。そして電池蓋には電池の電極に接する接点片が取り付けられており、電池蓋を取り付け回動させて閉じて最終的な位置まで回動させた際、その接点片の一つが電池ケース側の接点片と接触して通電するように構成されている。
【０００４】
【特許文献１】
登録実用新案第３０６０８８２号公報
【０００５】
【発明が解決しようとする課題】
電池ケースに対し電池蓋の装着は１８０度逆の位置でも取り付けることができる構造とした場合、通電のための接点片は１箇所しか設けていないので、電池蓋を１８０度異なる位置に取り付けると通電できず、ランプは点灯しない。もちろん、電池ケースと電池蓋とにはそれぞれ相対位置を示すマークが設けてあるが、ヘッドライトを必要とする時間帯や場所は明るい時刻や明るい場所ではないので、視認することが困難な場合が多い。
【０００６】
本発明はこのような従来のヘッドライトをはじめ、クリップライト、懐中ランプ、シェーバー、鼻毛そり器など、電池を用いた電気器具であり、電池蓋をバヨネット構造によって着脱するものにおいて、暗闇で電池交換が必要な場合でも、間違いなく正しい位置に電池蓋を装着することができるようにすることを課題としている。
【０００７】
【課題を解決するための手段】
この課題を解決するために本発明は、バヨネット構造で着脱する電池蓋に、蓋止めを取り付け、これをねじれ難い材質形状の紐状部で器具本体などに固定、落下を防止するとともに紐状部の長さを短く設定した電池蓋の着脱構造において、蓋止めは電池蓋に対し一定角度以上回動しないように回動角度を規制するように構成したものである。これにより、暗闇で電池交換が必要な場合でも、間違いなく正しい位置に電池蓋を装着することができる。
【０００８】
また、この課題を解決するために本発明は、前項の電池蓋と蓋止めと間の相互回動角度は、電池ケースと電池蓋との間のバヨネット構造の回動角度よりも大きく設定する。これにより、バヨネット構造の電池蓋の回動取り付け時、紐状部の存在によって回動の自由が損なわれることがない。
【０００９】
【発明の実施の形態】
本発明の請求項１に記載の発明は、円筒状の電池ケースと、前記電池ケースの一端に設けた電池装填及び取り出し用の開口付近に形成したバヨネット構造により着脱可能とした電池蓋と、前記電池蓋の主表面に取り付け、前記主表面との間で相互に回動可能構造とするとともに紐状部を延設し、該紐状部の端部を前記電池ケースあるいは器具本体に固定した扁平なキャップ状の蓋止めとよりなる電池蓋の着脱構造において、前記電池蓋と前記蓋止めと間の相互回動可能な角度を規制することによって、前記電池蓋を前記電池ケースに装着の際、装着角度を１８０度逆の位置に取り付けることがないようにしたものであり、暗闇で電池交換が必要な場合でも、間違いなく正しい位置に電池蓋を装着することができるという作用を有する。
【００１０】
請求項２に記載の発明は、前項において、電池蓋と蓋止めと間の相互回動可能角度は、電池ケースと電池蓋との間のバヨネット構造の回動角度よりも大きいこととしたものであり、バヨネット構造の電池蓋の回動取り付け時、紐状部の存在によって回動の自由が損なわれることがないという作用を有する。
【００１１】
（実施の形態）
本実施の形態では、ヘッドライトを例として説明する。図１、図２は本発明のヘッドライトの全体を示し、図１は側面図、図２は正面図である。両図において、１０はヘッドライトの樹脂製の本体、１は本体１０の一部を構成する円筒状の電池ケースであり、乾電池等の所定の電池を装填するように構成されている。２は電池ケース１の電池装填のための開口を閉じる、着脱可能な、本体１と同材で形成した電池蓋であり、詳細は後述する。３は電池蓋２を取り外した際の脱落を防止する蓋止めで、これも詳細は後述する。３１は蓋止め３から一体に延設された紐状部で、後述のヘッドバンド取り付け部などに一端を固定し、電池蓋２の脱落を防止する。５は本体１０の下端にヒンジ構造５１を介して設けたバックル状のヘッドバンド取り付け部であり、この部分に布製等のベルトを取り付け、このベルトによってヘッドライトを人体頭部に装着するが、詳細は記述しない。また、６は照明機能を備えたライト部で、正面の透明レンズ、内部のランプ等からなるが、詳細は公知であるので省略する。７は電池ケース１の一端に設けたスイッチ部で、電池ケース１に対し回動操作してランプへの通電をオン、オフする。この構造も公知であるので詳細は述べない。
【００１２】
図３は電池蓋２の側面図である。同図において、２５は電池蓋２の主表面（上面）に設けた、蓋止め３を取り付ける取り付け部であり、リング状に突出し、リング状の先端部は係止部２５ａとして外径方向にやや大径とし、係止部２５ａの下方は溝２５ｂとしてリング状に一周して形成されている。２６は溝２５ｂの所定位置に設けた突起である。
【００１３】
図４から図６によって蓋止め３の構造を示す。蓋止め３はやや軟質の可撓性のある、ポリエチレン等の樹脂で形成し、円形の浅いキャップ状であり、内径部端部から中心に向け突起３６が等角度間隔で３箇所に形成されている。突起３６は電池蓋２の取り付け部２５の溝２５ｂに嵌めこんで回動可能な状態で取り付けるためのもので、蓋止め３の内径寸法や突起３６の形状寸法は、この目的に沿うように設定されている。従って嵌め込んだ後は突起３６が溝２５ｂ内を摺動することで回動可能であるが、回動角度は突起３６が溝２５ｂ内の突起２６に当接する位置で、それ以上の回動が規制される。
【００１４】
３１は紐状部である。蓋止め３の一端から一体に延設した扁平な紐状であって、末端は孔３１ａを設けてヘッドバンド取り付け部５のヒンジ構造５１に取り付け、固定する。
【００１５】
図７は電池蓋２と蓋止め３とを組み立てた状態の中央断面図で、図７で理解されるように、蓋止め３を電池蓋２の主表面の取り付け部２５に向けて押し込むことにより、蓋止め３の突起３６は電池蓋２の係止部２５ａを乗り越えて取り付け部２５の溝２５ｂに嵌めこまれて取り付けられる。蓋止め３の内径寸法や突起３６の形状寸法は、嵌め込んだ後、電池蓋２に対し回動可能であるように設定されている。ただし、前記したように、回動角度は蓋止め３の突起３６と電池蓋２の突起２６との当接によって規制される。
【００１６】
前記図７において、８は導電性金属線で形成される電池端子である。詳細な説明は省略するが、電池蓋２の内側中央にカシメなどの方法で取り付けられて、端部８ａを半径方向に突き出した状態で設け、この端部８ａが電池ケース１側の電池端子と接し、また、電池端子８の渦巻き状の部分の中央部８ｃが電池ケース１に収容される電池の電極と接する構造である。
【００１７】
蓋止め３の紐状部３１の端部の孔３１ａは図１で部分的に示してあるように、本体１０とヘッドバンド取り付け部５とを結合しているヒンジ構造５１の回動軸を構成するネジなどを利用して固定される。
【００１８】
このような構造である本発明のヘッドライトにおける電池装填あるいは交換の状態を、図８に示す、電池蓋２と蓋止め３との取り付け構造の展開説明図を併用して説明する。図は電池蓋２と蓋止め３との回動部分を展開した状態とした説明図である。
【００１９】
いま、電池蓋２は電池ケース１から取り外された状態であるとする。この状態では電池蓋２に取り付けられた蓋止め３から延設される紐状部３１の端部がヘッドライト本体１０あるいはヘッドバンド取り付け部５に固定されていることによって電池蓋２がヘッドライト自体から脱落することはない。
【００２０】
電池ケース１内に電池（図示せず）を所定の向きで新規装填あるいは交換装填し、電池蓋２を指先で把持して電池ケース２の開口を閉じる。電池蓋２の操作部２１が把持を容易にし、図２に示す取り付け位置の表示マークである電池ケース側の表示マーク１９ａと電池蓋側の表示マーク２９とを合わせることによって取り付け位置が明確に示される。この位置は、電池蓋２の突起（図示せず）が電池ケース１の溝（図示せず）の挿入部（図示せず）から挿入される位置、すなわちバヨネット構造による装着位置である。また、電池蓋２の突起（図示せず）は電池ケース１の溝（図示せず）内に進入する。
【００２１】
操作が暗い場所で行なわれる場合等、表示マークが視認できないときでも、紐状部３１は扁平な可撓性のリボン状の紐状であるので捻れることがなく、その長さが短めに設定され、かつ、蓋止め３と電池蓋２との相互の回動角度が規制されていることによって大きく動くことがないので容易に取り付けることができる。
【００２２】
本実施の形態では、このバヨネット構造の回動角度を４０度とした。
【００２３】
図８に示すように、電池蓋２の突起２６は、蓋止め３の複数の突起３６の間で回動可能な構造であることは前に説明したが、本実施の形態ではこの回動可能角度を５４度に設定してある。従って、電池蓋２を電池ケース１に装着するに要する回動角４０度よりも大きき設定してあるので、紐状部３１の存在によって電池蓋２の回動が規制されることがなく、自由度が大きい。
【００２４】
このように本発明の電池蓋の着脱構造においては、電池ケース１と電池蓋２との取り付け位置が、位置マークを視認できない状況であっても、容易に電池交換後の電池蓋取り付けを行なうことができる。
【００２５】
なお、以上の説明では電池蓋２を電池ケース１に取り付けるに必要な回動角を４０度、電池蓋２と蓋止め３との回動可能角度を５４度に設定して構成した例を説明したが、この数値に限定されるものではなく、他の数値についても同様に実施可能である。
【００２６】
また、以上の説明では、例としてヘッドライトを取り上げたが、本発明はヘッドライトのみならず、クリップライト、懐中ランプ、シェーバー、鼻毛そり器その他の、バヨネット構造で電池ケースに電池蓋を着脱する電池使用電気器具に適用することができる。
【００２７】
【発明の効果】
以上のように本発明の請求項１によれば、円筒状の電池ケースと、電池ケースの一端に設けた電池装填及び取り出し用の開口付近に形成したバヨネット構造により着脱可能とした電池蓋と、電池蓋の主表面に取り付け、主表面との間で相互に回動可能構造とするとともに紐状部を延設し、該紐状部の端部を電池ケースあるいは器具本体に固定した扁平なキャップ状の蓋止めとよりなる電池蓋の着脱構造において、電池蓋と蓋止めと間の相互回動可能な角度を規制するようにしたので、電池蓋を電池ケースに装着の際、装着角度を１８０度逆の位置に取り付けることがなく、暗闇で電池交換が必要な場合でも、間違いなく正しい位置に電池蓋を装着することができるという有利な効果が得られる。
【００２８】
また、本発明の請求項２によれば、電池蓋と蓋止めと間の相互回動可能角度は、電池ケースと電池蓋との間のバヨネット構造の回動角度よりも大きいものとしたので、バヨネット構造の電池蓋の回動取り付け時、紐状部の存在によって回動の自由が損なわれることがないという有利な効果が得られる。
【図面の簡単な説明】
【図１】本発明のヘッドライトの側面図
【図２】本発明のヘッドライトの正面図
【図３】電池蓋の側面図
【図４】蓋止めの側面図
【図５】蓋止めの正面図
【図６】蓋止めの断面図
【図７】電池蓋組立の断面図
【図８】蓋止め取り付けの展開説明図
【符号の説明】
１    電池ケース
２    電池蓋
３    蓋止め
３１  紐状部
５    ヘッドバンド取り付け部
６    ライト部
７    スイッチ部
【図１】
2005019002.tif 000003
【図２】
2005019002.tif 000004
【図３】
2005019002.tif 000005
【図４】
2005019002.tif 000006
【図５】
2005019002.tif 000007
【図６】
2005019002.tif 000008
【図７】
2005019002.tif 000009
【図８】
2005019002.tif 000010